【事件の表示】
　平成　５年特許願第　４９８６２号「パチンコ・メダル遊戯システム」拒絶査定不服審判事件〔平成　６年　８月３０日出願公開、特開平　６−２３８０５３〕について、次のとおり審決する。
【結　論】
　本件審判の請求は、成り立たない。
【理　由】
１． 手続きの経緯、本願発明 
　　　　
　本願は、平成５年２月１７日の出願であって、平成１４年４月１５日付けで拒絶査定がなされ、これに対し、平成１４年５月２０日付けで拒絶査定に対する審判請求がなされたものであり、その請求項１に係る発明（以下、本願発明という。）は、平成１３年１１月１２日付け手続補正書により補正された明細書又は図面の記載からみて、特許請求の範囲の請求項１に記載された次のとおりのものである。
　　　　
　「【請求項１】　パチンコ玉又はメダルの貸与機およびカード発行機で算出する貸与数データを単位時間当りで集計する貸与数集計手段と、
　パチンコ玉又はメダルの賞球交換カウンタおよび景品交換カウンタで算出する賞球数データを単位時間当りで集計する賞球数集計手段と、
　パチンコ又はメダルのアウト球数データを単位時間当りで集計するアウト球数集計手段と、
　前記貸与数の集計値とアウト球数の集計値の和から前記賞球数の集計値を差し引いて単位時間当りの収支を求める収支演算手段とを備えたことを特徴とするパチンコ・メダル遊戯システム。」
　　　
２．引用例
（１）引用例
　原査定の拒絶の理由に引用された特開昭５６−８９２８２号公報（以下「引用例」という）には、図面とともに以下の記載がある。
　　　　
（記載事項ａ）
「パチンコ機裏面に設けた入賞球検出器からの信号とアウト球検出器からの信号とを計数記憶回路に供給し、上記計数記憶回路では上記両信号を計数記憶し、外部操作により任意時における営業状況を収支表示欄に表示するようにしたことを特徴とするパチンコ遊技店におけるパチンコ機台の集中管理機構。」（特許請求の範囲）
　　　　
（記載事項ｂ）
「この発明はパチンコ遊戯店において、アウト球数、賞球数、貸し玉数、景品玉数及び利益率を自動的にしかも任意の時間に表示することができるようなパチンコ機台の集中管理機構を提案するものである。」（第１頁右下欄第２０行〜第２頁左上欄第４行）
　　　　
（記載事項ｃ）
「６、７はセーフ球集合樋２、３の排出路に設けられた入賞球検出器、８はアウト球集合樋の排出路に設けられたアウト球検出器である。」（第２頁左上欄第１１〜１４行）
　　　　
（記載事項ｄ）
「このようなパチンコ機１において、検出器６、７、８は例えば光電管のような検出素子により構成され、集合桶２、３、４から排出される球が通過するごとに光等により検出し、パルス信号を発信するのである。」（第２頁左上欄第１９行〜右上欄第３行）
　　　　
（記載事項ｅ）
「更に、遊戯店内に配置された貸し玉供給器、景品玉の供給器の流下路には同様な検出器が設けてあり、ここを球が通過するたびごとに、それぞれパルス信号を発信するようにしてある。そして、これらのパルス信号は第２図に示す如き集中管理システムに送られて賞球数、アウト玉数、貸し玉数、景品玉数及び利益率の算出及び表示が行なわれる。」（第２頁右上欄第８〜１５行）
　　　
（記載事項ｆ）
「次に、このシステムを第２図にしたがつて説明すると、９はインプットされたパルス信号を記憶して、それぞれの賞球数、アウト玉数、貸し玉数、景品玉数を計数する計数記憶回路、１０はパチンコ機台の収支及び割数の演算を行なう演算回路、１１はそれぞれ異なる入賞球パルスＡ、Ｂを優先順位に並べなおし、且入賞球パルスＡ、Ｂに該当するパルスａ、ｂを発生させる波形整列回路であり、波形整形回路１１はＮｏ１〜ｎまでの各パチンコ機台から発信される入賞球パルスＡ、Ｂに対応して設けられている。
そして、各パチンコ機台の入賞球パルスＡ、Ｂは波形整列回路１１を通して計数記憶回路９に送られ、他の各パチンコ機台のアウト玉パルスＣ及び遊戯店内に配置された貸し玉供給器、景品玉の供給器から発信される貸し玉パルス及び景品玉パルスは直接計数記憶回路９に送られる。波形整列回路１１に送られた入賞球パルスＡ、Ｂは優先順を検出され、優先順に並べ直されるとともに、入賞球パルスＡ、Ｂに該当し、且計数記憶回路９内に受け入れられるようなパルスａ、ｂに直して、計数記憶回路９に送られる。
計数記憶回路９内では、各パルス信号を記憶して、各パチンコ機台のそれぞれの賞球数、アウト玉数及び遊戯店内の貸し玉数、景品玉数を計数する。そして、あるパチンコ機台について貸球数、アウト玉数及び貸し玉数、景品玉数を知りたい場合には、外部の指令によつてこれを賞球表示欄１２、１３、アウト玉数表示欄１４、景品玉数表示欄１５、貸し玉数表示欄１６に表示するのである。
また、計数記憶回路９に記憶されている各パチンコ機台の賞球数（例えばｍ，ｎ）、アウト玉数（例えばｌ）を演算指令により演算回路１０に送り、ここで各台の収支｛即ち。（アウト玉数ｌ）−（賞球数ｎ＋ｍ）｝を計数させる。また、計数記憶回路９内に記憶されている各パチンコ機台の賞球数（ｎ＋ｍ）、アウト玉数（ｌ）は指令により演算回路１０に送られ、ここで、全賞球数÷全アウト玉数＝割数の計数が行なわれる。ここで、割数は全賞球数を全アウト玉数を除したものであるから、店内の全パチンコ機台についての損失率であり、これを知れば店内の任意時における営業状況を知ることができるのである。そして、上記の如き、演算回路１０による演算結果を表示させたい場合には、外部の指令によつて、これを収支表示欄１７、割数表示欄１８に表示させることができるのである。」（第２頁右上欄第１６行〜第３頁左上欄第３行）
　　　　
（記載事項ｇ）
「任意時間或は一定時間おきにプリント指示することにより、台当りの賞球数、アウト玉数、収支演算結果をパチンコ機台Ｎｏ．１からＮｏ．ｎまでにわたってプリントアウトすることもできる。」（第３頁左上欄第７〜１１行）
　　　　
（記載事項ｈ）
「あるパチンコ機台の運転状況を知りたい場合には、表示指令ボタン２０を押せば、パチンコ機台番号１９に該パチンコ機台の番号が表示され、更に該機台についての賞球数、アウト玉数、収支結果が入賞球数表示欄１２、１３、アウト玉数表示欄１４、収支表示欄１７に表示され、これを見れば該パチンコ機台の運転状況、利益率が一目でわかるのである。
また、演算指令ボタン２１を押せば、遊戯店内の貸し玉数、景品玉数、割数が貸し玉数表示欄１６、景品玉数表示欄１５、割数表示欄１８に表示され、これを見れば店内の営業状況が一目でわかるのである。
更に、全パチンコ機台の任意時間における運転状況を知りたい場合には、プリント指示ボタン２２を押せば、全パチンコ機の運転状況のプリントがプリンタ排出口２４より取り出せるのである。」（第３頁左上欄第２０行〜右上欄第１６行）
　　　　　
　これらの記載、並びに、「９はインプットされたパルス信号を記憶して、それぞれの賞球数、アウト玉数、貸し玉数、景品玉数を計数する計数記憶回路」（記載事項ｆ）、計数記憶回路９がブロックで示された第２図の記載、及びブロックで示された回路は、現実の回路では、それぞれの機能毎に分割されて製作されるのが一般的であることが明らかであることから、計数記憶回路９には、貸し玉数、景品玉数、各パチンコ機台の球の賞球数、各パチンコ機台の球のアウト玉数をそれぞれ計数する４つの部分（以下、それぞれ「計数記憶回路９の貸し玉数計数部」、「計数記憶回路９の景品玉数計数部」「計数記憶回路９の賞球数計数部」「計数記憶回路９のアウト玉数計数部」という。）が存在することもまた明らかであることを勘案すれば、引用例には、次の発明（以下、「引用発明」という。）が記載されていると認められる。
　　　　
　「球の貸し玉供給器における貸し玉数を計数する計数記憶回路９の貸し玉数計数部と、球の景品玉の供給器における景品玉数を計数する計数記憶回路９の景品玉数計数部と、各パチンコ機台の球の賞球数を計数する計数記憶回路９の賞球数計数部と、各パチンコ機台の球のアウト玉数を計数する計数記憶回路９のアウト玉数計数部と、アウト玉数から賞球数を差し引いて収支を求める演算回路１０とを備えたパチンコ機の集中管理機構。」
　　　　
　　　　
（２）対比
　そこで、本願発明と引用発明とを比較すると、引用発明のａ「球」、ｂ「貸し玉供給器」、ｃ「貸し玉数」、ｄ「計数」、ｅ「景品玉数」、ｆ「アウト玉数」、ｇ「演算回路１０」、ｈ「パチンコ機の集中管理機構」、ｉ「計数記憶回路９の貸し玉数計数部」、ｊ「計数記憶回路９の景品玉数計数部」、ｋ「計数記憶回路９のアウト玉数計数部」は、それぞれ、本願発明のａ「パチンコ玉」、ｂ「貸与機」、ｃ「貸与数データ」、ｄ「集計」、ｅ「賞球数データ」、ｆ「アウト球数データ」又は「アウト球数」、ｇ「収支演算手段」、ｈ「パチンコ・メダル遊戯システム」、ｉ「貸与数集計手段」、ｊ「賞球数集計手段」、ｋ「アウト球数集計手段」に相当する。
　　　
　よって、両者は、
　　　
　「パチンコ玉の貸与機における貸与数データを集計する貸与数集計手段と、パチンコ玉の賞球数データを集計する賞球数集計手段と、パチンコ玉のアウト球数データを集計するアウト球数集計手段と、
　アウト球数に基づいて収支を求める収支演算手段とを備えたパチンコ・メダル遊戯システム。」
　　
である点で一致し、以下の点で相違する。
　　　　
　相違点１
　貸与数データが、本願発明では、貸与機およびカード発行機で算出されるのに対し、引用発明では、貸与機における貸与数データである点。
　　　　
　相違点２
　賞球数データが、本願発明では、賞球交換カウンタおよび景品交換カウンタで算出されるのに対し、引用発明では、景品玉の供給器におけるものである点。
　　　　
　相違点３
　収支が、本願発明では、貸与数の集計値とアウト球数の集計値の和から賞球数の集計値を差し引いて収支を求めているのに対し、引用発明では、アウト球数データから賞球数（本願発明における「賞球数」ではない。）を差し引いて収支を求めている点。
　　　　　
　相違点４
　貸与数データ、賞球数データ、アウト球数データ、収支が、本願発明では、単位時間当りのものであるのに対し、引用発明では、単位時間当りのものであるか否かが明らかでない点。
　　
３．判断
（１）上記相違点について検討する。
　　　　　　
（ａ）相違点１について
　カード発行機でパチンコ玉を借りることができるのは周知例を示すまでもなくパチンコ技術分野において周知技術であるから、引用発明において、前記周知技術の如くカード発行機でパチンコ玉を借りることができるようにすること、及び、その際に、貸与機だけでなくカード発行機で算出されるパチンコ玉の分も貸与数データに加えることは、当業者が容易になし得ることである。
　　　　　
（ｂ）相違点２について
　景品玉の供給器における賞球数データと、賞球交換カウンタおよび景品交換カウンタで算出される賞球数データは、不正等が無ければ通常一致するから、引用発明において、賞球数データを、賞球交換カウンタおよび景品交換カウンタで算出されるようにすることは、当業者が容易に想到できることである。
　　　　　　
（ｃ）相違点３について
　一般的な技術分野において、各種のデータに基づいて種々の指標を得ることは周知技術（例えば、特開平３−１１８６５７号公報（特に、第８頁左上欄第６行〜右上欄第３行を参照。）、特開平２−１５５０６７号公報（特に、第４頁左下欄第３行〜第５頁左上欄第５行を参照）を参照。）であり、パチンコ遊戯の技術分野においても、貸与数とアウト球数に基づいて指標を算出することは周知技術（例えば、特公昭６３−５００２６号公報（第４頁右欄第２６〜３３行）、特開平４−２１２３９４号公報（特に、第４頁の出玉率の演算式を参照。）を参照。）であり、貸与数と賞球数（景品玉数）に基づいて指標を算出することも周知技術（例えば、特公昭６３−５００２６号公報（第４頁右欄第２６〜３３行）、特公昭５６−５５５０号公報（特に、第１頁右欄の「持玉合計」の演算式を参照。）、特開昭５３−９１８３４号公報（特に、第３頁右下欄第９〜１１行を参照）、特公昭５８−６９７６号公報（特に、第４頁左欄第１８〜１９行を参照。）を参照。）であるから、引用発明において、アウト球数、賞球数（本願発明における「賞球数」ではない。）に基づいて収支をもとめる代わりに、貸与数（貸し玉数）、賞球数（景品玉数）、各パチンコ機台の球のアウト球数に着目し、加減乗除等の適宜の演算を行って収支を求め、本願発明における相違点３の如く構成することは、当業者が容易に想到できることである。
　　　
（ｄ）相違点４について
　データを集計する際に、データ集計の範囲を決めるため、ある一定時間毎に（例えば、ＪＲの乗車券の売り上げ、スーパー又はデパート等の売り上げ等について一日単位、曜日単位、月単位で）集計を行うことは、ごく普通に行われている集計についての常識であって、その一定時間として、単に単位時間とすることは、当業者が適宜なし得る設計的事項にすぎない。
　　　　
（２）本願発明の作用効果について
　本願発明の奏する効果は、引用発明に前記周知技術を適用したものから当業者が容易に予測し得るものであって、格別顕著なものではない。
　　　
４．むすび
　以上のとおり、本願発明は、引用発明、及び周知技術に基づいて当業者が容易に発明をすることができたものであるから、特許法第２９条第２項の規定により特許を受けることができない。
　したがって、本願は拒絶をすべきものである。　　
　よって、結論のとおり審決する。